(57)【要約】【課題】  菌床栽培によるタモギ茸の栽培を確実に行うことができ、良品のタモギ茸を効率的に生産することを可能にするタモギ茸の菌床栽培方法を提供する。【解決手段】  栽培袋に詰めた培地材を加熱殺菌する殺菌工程と、培地に種菌を接種する種菌接種工程と、種菌を接種した栽培袋を密封して種菌を培養する培養工程と、培地から子実体を発生させ、株状に生育させる芽出し・生育工程とを備えるタモギ茸の菌床栽培方法であって、前記芽出し・生育工程において、菌床２０ａから発生する子実体のうちから収穫用に生長させる複数の子実体５０ｂを選択し、これらの子実体５０ｂを生長させて収穫する生育・収穫工程を複数回繰り返して収穫することを特徴とする。【選択図】          図１０
2007014299.tif 000002
【特許請求の範囲】
【請求項１】
栽培袋に詰めた培地材を加熱殺菌する殺菌工程と、培地に種菌を接種する種菌接種工程と、種菌を接種した栽培袋を密封して種菌を培養する培養工程と、培地から子実体を発生させ、株状に生育させる芽出し・生育工程とを備えるタモギ茸の菌床栽培方法であって、
前記芽出し・生育工程において、菌床から発生する子実体のうちから収穫用に生長させる複数の子実体を選択し、これらの子実体を生長させて収穫する生育・収穫工程を複数回繰り返して収穫することを特徴とするタモギ茸の菌床栽培方法。
【請求項２】
栽培袋に詰めた培地材を加熱殺菌する殺菌工程と、培地に種菌を接種する種菌接種工程と、種菌を接種した栽培袋を密封して種菌を培養する培養工程と、培地から子実体を発生させ、株状に生育させる芽出し・生育工程とを備える、タモギ茸の菌床栽培方法であって、
前記芽出し・生育工程において、菌床から発生する子実体のうちから収穫用に生長させる子実体を一つ選択し、この選択した子実体のみを菌床全体まで菌回りするまで生長させて収穫することを特徴とするタモギ茸の菌床栽培方法。
【請求項３】
前記芽出し・生育工程において、収穫用に生長させる子実体として、前記培地の中央部に設けられた植菌孔から生長する子実体を選択し、この子実体を生長させて収穫することを特徴とする請求項２記載のタモギ茸の菌床栽培方法。
【請求項４】
前記培養工程から芽出し・生育工程に移る際に、培地の上面近傍部分で栽培袋を切り離し、培地の上面が開放した状態で芽出し・生育させることを特徴とする請求項１〜３のいずれか一項記載のタモギ茸の菌床栽培方法。
【請求項５】
前記種菌接種工程において、前記培地に設けられた植菌孔に種菌を接種するとともに、前記培地の表面全体を覆うように種菌を接種することを特徴とする請求項１または２記載のタモギ茸の菌床栽培方法。
【請求項６】
栽培袋に詰めた培地材を加熱殺菌する殺菌工程と、培地に種菌を接種する種菌接種工程と、種菌を接種した栽培袋を密封して種菌を培養する培養工程と、培地から子実体を発生させ、株状に生育させる芽出し・生育工程とを備える、タモギ茸の菌床栽培による生産システムであって、
前記芽出し・生育工程に使用する栽培室が、外気を栽培室内に導入する吸気ファンと、該吸気ファンに連通して栽培室内に配置された通気ダクトとを備え、
該通気ダクトには、前記吸気ファンによって通気ダクト内に導入された外気を栽培室内に送出する複数の通気孔が設けられていることを特徴とするタモギ茸の菌床栽培による生産システム。
【請求項７】
前記通気ダクトは、プラスチックからなる筒状の吹き流し状に形成されていることを特徴とする請求項６記載のタモギ茸の菌床栽培による生産システム。
【請求項８】
前記通気ダクトは、栽培室の天井に沿って配置され、ダクトの側面に設けられた複数の横孔と、ダクトの下面に設けられた複数の下孔とを備えていることを特徴とする請求項６または７記載のタモギ茸の菌床栽培による生産システム。
【発明の詳細な説明】
【技術分野】
【０００１】
本発明はタモギ茸の菌床栽培方法及びタモギ茸の菌床栽培による生産システムに関する。
【背景技術】
【０００２】
本件発明者は、タモギ茸の人工栽培方法として、瓶栽培によるタモギ茸の人工栽培方法について提案した（特許文献１、特許文献２参照）。このタモギ茸の人工栽培方法は、従前においては、市場に出回ることが稀であったタモギ茸の通年人工栽培を可能とし、美味であるとともに栄養的にもすぐれ、種々の薬効を備えたタモギ茸を、市場に常時、供給できる商品として提供可能とするものであった。
【０００３】
この栽培瓶を用いたタモギ茸の人工栽培方法は、（１）おがこ等を用いて培地を調製する工程、（２）栽培瓶に培地を充填する瓶詰め工程、（３）培地を加熱殺菌する工程、（４）培地にタモギ茸の菌を植菌する工程、（５）培養工程、（６）芽出し・生育工程からなるものである。これらの栽培工程は瓶栽培による茸の人工栽培方法としては、一般的な工程からなるものであるが、タモギ茸は高温菌で栽培が難しい茸であり、良品の茸を収穫するには、培養工程、生育工程といった各栽培工程で適切に栽培条件を管理することが重要である。
【特許文献１】特開平３−１８０１２０号公報
【特許文献２】特開平６−１２５６４５号公報
【発明の開示】
【発明が解決しようとする課題】
【０００４】
ところで、おがこ等の培地材を用いるきのこの人工栽培方法には、瓶栽培による他に、菌床栽培も広く行われている。菌床栽培はプラスチックからなる栽培袋に培地材を充填し、ブロック状に成形した培地からきのこを生長させる方法であり、一つの菌床に使われる培地材の分量が一本の栽培瓶に充填される培地材よりもはるかに多いことから、茸の収穫量を増やすことができるという特徴と、栽培条件を適切に管理することによって、瓶栽培では得られないような良質の茸を収穫することができ、大きな株状にきのこを生長させて収穫することができるという瓶栽培にはない利点がある。
【０００５】
しかしながら、菌床栽培による場合は瓶栽培とは異なり、培地自体の茸を生育させる能力が大きいために、培養室や生育室における栽培条件や栽培方法を瓶栽培におけると同様に設定したのでは、効率的に茸を栽培することができないという問題があり、とくに高温菌で栽培が難しいタモギ茸の栽培においては、菌床栽培による特徴を十分に生かすために的確な栽培条件、栽培方法を設定しなければならない。
【０００６】
本発明は、これらの課題を解決すべくなされたものであり、菌床栽培によるタモギ茸の栽培を的確に行うことを可能とし、良品のタモギ茸を効率的に生産することを可能にするタモギ茸の菌床栽培方法及びタモギ茸の菌床栽培による生産システムを提供することを目的とする。
【課題を解決するための手段】
【０００７】
本発明は、上記目的を達成するため次の構成を備える。
すなわち、栽培袋に詰めた培地材を加熱殺菌する殺菌工程と、培地に種菌を接種する種菌接種工程と、種菌を接種した栽培袋を密封して種菌を培養する培養工程と、培地から子実体を発生させ、株状に生育させる芽出し・生育工程とを備えるタモギ茸の菌床栽培方法であって、前記芽出し・生育工程において、菌床から発生する子実体のうちから収穫用に生長させる複数の子実体を選択し、これらの子実体を生長させて収穫する生育・収穫工程を複数回繰り返して収穫することを特徴とする。
この栽培方法では、菌床から複数回にわたってタモギ茸を収穫することが特徴であるが、このように、一つの菌床からタモギ茸を複数回収穫することができるのは、タモギ茸の場合は、菌床が完全に菌回りする前に子実体を生長させることができるためである。したがって、タモギ茸がある程度の株にまで成長したところで収穫することにより、菌床での菌回りの進み具合に合わせて一つの菌床から、複数回タモギ茸を収穫することができる。一つの菌床から収穫する回数は生長させる株の大きさにもよるが３〜５回程度可能である。
【０００８】
また、栽培袋に詰めた培地材を加熱殺菌する殺菌工程と、培地に種菌を接種する種菌接種工程と、種菌を接種した栽培袋を密封して種菌を培養する培養工程と、培地から子実体を発生させ、株状に生育させる芽出し・生育工程とを備える、タモギ茸の菌床栽培方法であって、前記芽出し・生育工程において、菌床から発生する子実体のうちから収穫用に生長させる子実体を一つ選択し、この選択した子実体のみを菌床全体まで菌回りするまで生長させて収穫することを特徴とする。
この栽培方法は、一つの菌床で一つの子実体のみを生長させて収穫する方法である。この場合は、菌床全体として一つの子実体を生長させるから、きわめて大きな、見栄えの良い株状にタモギ茸を生長させることができる。
この場合には、前記芽出し・生育工程において、収穫用に生長させる子実体として、前記培地の中央部に設けられた植菌孔から生長する子実体を選択し、この子実体を生長させて収穫するようにすることが効果的である。
【０００９】
また、前記培養工程から芽出し・生育工程に移る際に、培地の上面近傍部分で栽培袋を切り離し、培地の上面が開放した状態で芽出し・生育させることによって、子実体への酸素の供給が十分になされ、また光照射が的確になされることで良品のタモギ茸を得ることができる。
また、前記種菌接種工程において、前記培地に設けられた植菌孔に種菌を接種するとともに、前記培地の表面全体を覆うように種菌を接種することにより、雑菌が繁殖することを防止し、培地に確実にかつ効率的に菌回りさせることができ、良品のタモギ茸を得ることができる。
【００１０】
また、栽培袋に詰めた培地材を加熱殺菌する殺菌工程と、培地に種菌を接種する種菌接種工程と、種菌を接種した栽培袋を密封して種菌を培養する培養工程と、培地から子実体を発生させ、株状に生育させる芽出し・生育工程とを備える、タモギ茸の菌床栽培による生産システムであって、前記芽出し・生育工程に使用する栽培室が、外気を栽培室内に導入する吸気ファンと、該吸気ファンに連通して栽培室内に配置された通気ダクトとを備え、該通気ダクトには、前記吸気ファンによって通気ダクト内に導入された外気を栽培室内に送出する複数の通気孔が設けられていることを特徴とする。
また、前記通気ダクトは、プラスチックからなる筒状の吹き流し状に形成されていることにより、栽培室内への設置等が容易にできる。また、前記通気ダクトは、栽培室の天井に沿って配置され、ダクトの側面に設けられた複数の横孔と、ダクトの下面に設けられた複数の下孔とを備えていることを特徴とする。
【発明の効果】
【００１１】
本発明に係るタモギ茸の菌床栽培方法及びタモギ茸の菌床栽培による生産システムによれば、菌床栽培により、確実にかつ効率的にタモギ茸を生産することができ、良品のタモギ茸を生産する方法および生産システムとして好適に利用することが可能になる。
【発明を実施するための最良の形態】
【００１２】
以下、本発明に係るタモギ茸の菌床栽培方法及びタモギ茸の菌床栽培による生産システムの実施の形態について、添付図面とともに詳細に説明する。
（培地の調製工程）
タモギ茸の菌床栽培では、図１に示す樹脂製の栽培袋１０に培地材を充填して茸を栽培する。栽培袋１０は、袋本体１２の側面に円形の開口孔１４を設け、開口孔１４にフィルター１６を封着したものである。
【００１３】
本実施形態において、タモギ茸の栽培に使用した培地材は、杉おがこ、米糠、とうもろこし粉を混合したものである。実施形態では、容積比で杉おがこ約５０％、米糠約３０％、とうもろこし粉約２０％の割合で混合して使用した。
この混合物に水を加えながら攪拌機で２時間ほど撹拌して、水分約６５％となるように水分調整した。水に酵素液をうすめて加えたものを水分調整用の水として使用することも有効である。なお、本実施形態では、杉おがこをあく抜きする目的で１０００菌床に対して３ｋｇの割合で石灰を添加して培地材を調製した。培地材の好適なｐＨは５〜７であり、最適ｐＨは６．５である。
【００１４】
（袋詰め工程）
次に、培地材を栽培袋１０に詰める。図２に栽培袋１０に培地材２０を詰めた状態を示す。培地材２０は専用の袋詰め機を使用し、ブロック状に栽培袋１０に充填する。栽培袋１０に培地材２０を詰めた状態で、培地２０ａ部分の大きさは、縦１２．５ｃｍ、横２０ｃｍ、高さ１４ｃｍ程度となる。前述した６５％に水分調整した培地材２０を詰めた状態で１袋あたりの重さは２．５ｋｇ〜２．６ｋｇである。
栽培袋１０に培地材２０を詰める際に、栽培袋１０の開口側から培地２０ａに３個の植菌孔２２ａ、２２ｂ、２２ｃをあける。植菌孔２２ａ、２２ｂ、２２ｃは、培地２０ａの上面中央部（植菌孔２２ｂ）と、培地２０ａの長手方向の両側に一つずつ（植菌孔２２ａ、２２ｃ）設ける。植菌孔２２ａ、２２ｂ、２２ｃ孔径は２ｃｍ、深さは１１ｃｍ程度である。
【００１５】
（殺菌工程）
栽培袋１０に培地材２０を収容した後、栽培袋１０の袋口部分を１ｃｍ程度折り、折った両隅部分を各々ステープル針で留め、培地２０ａの上部を覆うように栽培袋１０の上側を折りたたみ、トレイ３０に整列させて収納する。
図３に、培地入り栽培袋１０ａをトレイ３０に収納した状態を示す。トレイ３０は、縦：４１ｃｍ、横：５８ｃｍ、高さ１９ｃｍの箱形に形成されたもので、培地入り栽培袋１０ａは、図のように、トレイ３０の両側に各々横置きで３個、中央に縦置きで２個、合わせて８個配置する。トレイ３０の中央に、培地入り栽培袋１０ａを縦置きで２つ配置しているのは、トレイ３０に培地入り栽培袋１０ａを収納した状態でトレイ３０の中央部に空間が形成されるようにするためである。
【００１６】
トレイ３０に培地入り栽培袋１０ａを収納した後、トレイ３０ごと殺菌釜内に収納して培地を加熱殺菌する。本実施形態では、常圧殺菌により７時間加熱殺菌した。常圧殺菌の場合の加熱温度は９８℃程度である。常圧殺菌のかわりに高圧殺菌によって殺菌してもよい。
トレイ３０に培地入り栽培袋１０ａを整列して収納した状態で、トレイ３０の中央部に空間が形成されているから、トレイ３０を積み重ねて加熱殺菌した際にトレイ３０の中心部分についても効果的に加熱することができる。
【００１７】
また、従来の菌床栽培では、殺菌釜で培地を加熱殺菌する際に、トレイ３０ごと殺菌釜に収容せず、培地入り栽培袋１０ａのみ殺菌釜に収容して殺菌する方法が一般的である。  本発明方法のように、トレイ３０に培地入り栽培袋１０ａを収納した状態のまま、トレイ３０ごと殺菌する方法の場合は、培地の加熱殺菌と同時にトレイ３０も殺菌されるから、殺菌釜からトレイ３０と培地入り栽培袋１０ａを取り出して種菌接種室に移動させることにより、種菌接種時に、トレイ３０から雑菌が入り込むことを防止し失敗のない確実な種菌接種作業が可能になる。
【００１８】
（種菌接種工程）
種菌接種は、無菌状態に維持された接種室において、殺菌された培地入り栽培袋１０ａの開口部を広げ、培地２０ａの上に、種菌を落とし込むようにして行う。図４は、培地２０ａに種菌４０を接種した状態を示す。種菌４０は、培地２０ａに設けた植菌孔２２ａ、２２ｂ、２２ｃ内に充填（接種）され、かつ培地２０ａの上面の全面を覆うように接種する。培地２０ａの上面を均一に覆うように種菌４０を接種することによって、培地２０ａの表面に雑菌が付着することを防止し、良品の茸を生長させることが可能になる。実施形態では、８００ｍｌの種菌瓶１本あたり、１２〜１４個の菌床に接種した。
【００１９】
培地２０ａに種菌４０を接種した後、栽培袋１０の袋口を熱シールし、培養室に搬入する。図５に、培地２０ａに種菌４０を接種した後、袋口を熱シールした状態を示す。１７がステープル針、１８が熱シール部である。栽培袋１０の袋口を熱シールすることによって、培地２０ａに種菌４０を接種した状態で栽培袋１０が密封され、栽培袋１０の内外の空気、二酸化炭素等の気体の通流はフィルター１６を介してのみなされる状態になる。
【００２０】
（培養工程）
栽培袋１０を密封後、培養室に搬入して培養開始する。培養室の室内温度は１８℃〜２６℃、好適には１９℃〜２１℃とする。なお、培養中には光照射しない。
培養中には二酸化炭素濃度が高くなるから、自動空調換気装置を利用して換気するのがよい。培養工程での二酸化炭素濃度は１２００〜２０００ppm程度である。また、培地中に菌糸が伸長する際にはかなりの熱が発生する。このため、霧発生装置を使用して、ときどき霧を発生させるようにする。室内湿度は３５〜３７％程度が好適である。
培養室に搬入して１４日間程度で培養が完了する。タモギ茸の場合は、高温菌のため培養中に子実体が発生しはじめるのが特徴的である。
【００２１】
図６〜８に、培養室に搬入した後の培地２０ａの状態と、培地入り栽培袋１０ａに施す処理を示す。
図６は、培養室に搬入して３〜４日、経過した時点での様子を示す。培地２０ａの表面と植菌孔２２ａ、２２ｂ、２２ｃに接種した種菌４０が培地２０ａに菌回りしはじめている様子を示す。
図７は、さらに５日程度経過した状態を示す。タモギ茸の場合は、培地２０ａの表面から底に向かって徐々に菌糸体が伸長していく。２０ｂが培養が進んでいる部位で、培地２０ａの表面から１〜２ｃｍ程度培養が進んだ状態である。植菌孔２２ａ、２２ｂ、２２ｃから子実体５０ａが生長し始めている。植菌孔２２ａ、２２ｂ、２２ｃから子実体が伸びはじめるようになったら、フィルター１６を剥離して除去し、栽培袋１０内に空気（酸素）が導入されるようにする。
【００２２】
図８は、図７に示した状態からさらに４〜５日経過した状態で、培養工程から芽出し・生育工程へ移行する時期を示す。培地２０ａの表面から培養が３ｃｍ程度の深さまで進んだところで、栽培袋１０の培地２０ａから上側の部分を切り離して取り除く。図８は、栽培袋１０を切り離した状態である。栽培袋１０は培地２０ａの表面から１〜２ｃｍ程度下側をナイフでカットするようにして切り離せばよい。
図９は、栽培袋１０を切り離した状態の斜視図である。植菌孔２２ａ、２２ｂ、２２ｃのところから子実体が生長するから、植菌孔２２ａ、２２ｂ、２２ｃ以外から生長しはじめた子実体５０ｃについては取り除く。図８は、２つの植菌孔２２ａ、２２ｃから生長している子実体５０ｂを残して芽出し・生育工程に移す例、図９は、培地２０ａの表面で菌回りした表面部分から子実体を取り除いて芽出し・生育工程に移す例を示す。
【００２３】
（芽出し・生育工程）
栽培袋１０の培地２０ａから上側の部分を切り離し、培地２０ａの下側を栽培袋１０で覆った状態で芽出し・生育室へ栽培袋を搬入して栽培棚に配置する。菌床栽培によるタモギ茸の芽出し・生育工程では、株を比較的小分けにして生長させて収穫する方法と、一つの大きな株状に生長させて収穫する方法がある。株を小分けにして生長させる方法は、たとえば１００ｇのパック詰めとして使用する場合の栽培方法である。図８に示す例は、株を小分けにして生長させる場合を示し、図９に示す例は、一つの大きな株状に生育させる場合を示す。
【００２４】
（株を小分けにして収穫する方法）
株を小分けにして生長させる場合は、図８に示すように、まず植菌孔２２ａ、２２ｂ、２２ｃから子実体を生長させる。通常は、植菌孔２２ａ、２２ｂ、２２ｃから子実体５０ｂが生長しはじめるから、植菌孔２２ａ、２２ｂ、２２ｃ以外から生長しはじめたものは取り除き、植菌孔２２ａ、２２ｂ、２２ｃから生長したものを収穫用として大きく伸長させるようにすればよい。
【００２５】
子実体を発生させる際の室内温度（芽出し温度）は１６℃〜２６℃であり、好適には２１℃〜２３℃である。芽出し時の室内湿度は７０％〜９０％とする。
また、子実体の頭部が５ｍｍくらいの大きさになったときから、１５０〜２５０ルクス程度の明るさで照明する。照明は、２０分間光照射し３０分間暗くする、といったように時間をおいて光照射する方法による。連続的に光照射すると茶褐色になるから注意を要する。
【００２６】
図１０は、図８の状態から子実体５０ｂが生長して収穫時期となった状態である。植菌孔２２ａ、２２ｃから伸長している子実体５０ｂ、５０ｂのみを残すようにしたことによって、植菌孔２２ａ、２２ｃから子実体５０ｂ、５０ｂが大きく伸長する。傘の大きさが１．５ｃｍ〜２．５ｃｍ程度になったときが収穫時期である。一株の重さは、１００ｇ〜１２０ｇ程度となる。
芽出し・生育室へ移動させた後、５日〜６日程度でこの程度の大きさまで生長する。なお、この時点で菌床（培地２０ａ）は培地２０ａの表面から菌床の全厚の１／４〜１／３程度まで菌回りしている。
【００２７】
子実体５０ｂを収穫した後、植菌孔２２ａ、２２ｂ、２２ｃ以外の菌床の表面から別の子実体が生長してくる。２回目の収穫は、培地２０ａから生長してくる子実体のうちから収穫用として生長させる子実体を複数個（３〜５個程度）選び、他の子実体を取り除いて、選んだ子実体のみを生長させる。この方法によって、第１回目の収穫後、７〜８日程度で、２回目の収穫ができる。この場合も、傘の大きさが１．５ｃｍ〜２．５ｃｍ、重さ１００ｇ〜１２０ｇ程度になった頃が収穫時期である。２回目の収穫で、菌床の全厚の１／２程度まで菌回りする。
【００２８】
２回目の収穫後、さらに菌床の表面から子実体が生長してくるから、これらの子実体のうちで収穫用として生長させる子実体を複数個選び、他の子実体を取り除いて、選んだ子実体のみを生長させる。子実体は菌床の上面から生長させるばかりでなく、菌床の側面から生長させるようにしてもよく、生長させる子実体は自由に選択してかまわない。
２回目を収穫した後、８日〜１０日くらいで３回目の収穫となる。３回目も傘の大きさが１．５ｃｍ〜２．５ｃｍ程度、重さ１００ｇ〜１２０ｇ程度に生長したところで収穫する。菌床は３／４からほぼ底部まで菌回りする。
【００２９】
３回目の収穫の後、さらに菌床の表面から子実体が生長してくるから、収穫用にさらに子実体を選び、他の子実体を取り除いて、上述したと同様にして４回目を収穫する。３回目の収穫の後８〜１０日で４回目が収穫できる。４回目も傘の大きさが１．５〜２．５ｃｍ、重さ１００ｇ〜１２０ｇの株状に生長したタモギ茸が得られる。
なお、上手に管理すれば同様な方法で５回目を収穫することも可能である。上記の培地条件の場合は、通常、４回程度は収穫できる。
【００３０】
前述したように、タモギ茸は高温菌であり、菌床で培養が進みながら子実体も生長するという特徴がある。菌床栽培による場合は瓶栽培にくらべて茸を生長させる力が大きいから、本実施形態のように、収穫用の子実体を選択して、菌床での培養を進めながら子実体を生長させ、適宜大きさになったときに収穫する生育・収穫工程を繰り返すことにより、菌床を有効に利用して、複数回タモギ茸を収穫することが可能となる。
【００３１】
（一株で大きく生長させる方法）
図１１に示すように、培養工程では、培地２０ａに形成した植菌孔２２ａ、２２ｂ、２２ｃや、他の菌床の表面から子実体が伸長する。一株で大きくタモギ茸を生長させる場合には、菌床の中央に設けた植菌孔２２ｂから生長する子実体５０ｂのみを収穫用として残し、他の植菌孔２２ａ、２２ｃから生長する子実体５０ｃや、菌床の他の部位から伸長する子実体５０ｄを取り除き、植菌孔２２ｂから生長する子実体５０ｂのみを生長させる。
【００３２】
一株で成長させる場合は、小分けして生長させる場合にくらべて生育室の温度を１６℃〜１９℃とやや低温にして生長を抑制しながら日数をかけて生長させる。
芽出し・生育室に移した後、随時、不要な子実体を取り除きながら収穫用の子実体のみを生長させていく。図１２は、芽出し・生育室に移してから１５〜２０日程度経過した状態で、菌床（培地２０ａ）の全体に菌糸が蔓延し、子実体が大きな株状に生長した様子を示す。菌床に十分に菌回りさせ、一株に栄養を集中させるようにすると、大きな株状に生長し、きわめて見栄えのよいタモギ茸として生長する。およそ株の大きさは２５ｃｍ程度となり、一株で重さは８００ｇ〜１ｋｇ程度、傘の大きさは５〜８ｃｍ程度になる。
傘の色をきれいな黄色に仕上げるため、小分けした株状に生長させる場合と同様に、子実体の頭部が５ｍｍ程度になったときから光照射して生長させる。
【００３３】
（芽出し・生育室の構成）
芽出し・生育工程では、室内温度、湿度、光照射を管理する他に、二酸化炭素濃度の管理がきわめて重要である。二酸化炭素濃度が高くなると子実体の茎が細長くなり徒長してしまい、傘がラッパ状になり、傘の色が白っぽくなって市場価値がなくなるからである。このため、芽出し・生育工程では二酸化炭素濃度を３００〜５００ppm以下に低く抑える必要がある。
二酸化炭素濃度を低くするには従来から自動空調換気装置を使用して栽培室内を換気する方法が行われている。しかしながら、菌床栽培による場合には二酸化炭素が大量に発生するから、大きな栽培室でたくさんの菌床を収容して栽培する場合には、従来のような吸気ファンや排気ファンを壁面等に単に取り付けて外気を導入するといった方法では、効率的な換気を行うことができない。
【００３４】
本実施形態では、このような菌床栽培における換気を効果的に行う方法として、図１３に示すように、芽出し・生育室（栽培室）７０に通気ダクト６０を配置し、通気ダクト６０から栽培室７０にエアを放出させる方法によって換気している。すなわち、栽培室７０の一方の壁面に吸気ファン６５を配置し、各々の吸気ファン６５に連通する配置に栽培室７０の全長にわたって通気ダクト６０を配している。通気ダクト６０は栽培室７０の天井に近い位置に設置し、図１３に示す例では、栽培室７０の長手方向に平行に、３基設置している。
【００３５】
本実施形態で使用している通気ダクト６０はプラスチックフィルムにより円筒状に形成したものであり、ダクトの長手方向に横孔６２と下孔６４とを所定間隔に開口させて設けている。横孔６２は通気ダクト６０から側方に向けてエアを送出するためのもので、ダクトの両側面に開口して設けられている。下孔６４は通気ダクト６０から下方に向けてエアを送出するためのもので、通気ダクト６０の下面に所定間隔で開口させるように設けている。実施形態で使用している通気ダクト６０は直径が約３０ｃｍの筒状に形成したものであり、横孔６２と下孔６４の直径は５ｃｍである。横孔６２と下孔６４の配置間隔Ｌは適宜設定可能であるが、本実施形態では配置間隔Ｌを７０ｃｍとした。
【００３６】
図１３に示すように、栽培室７０に通気ダクト６０を設置し、通気ダクト６０に外気を導入して栽培室７０に送気する方法によると、吸気ファン６５によって吸気された外気が通気ダクト６０の先端側まで確実に導入され、通気ダクト６０に設けられた各々の横孔６２と下孔６４から栽培室７０に外気が送入される。通気ダクト６０を利用する方法は、栽培室が大型のものであっても、吸気ファン６５を設置した位置から遠くまで外気を導入することができ、したがって栽培室７０内に均一に外気を導入することができるという利点がある。
【００３７】
図１３では、栽培室７０に栽培棚７２が設置されている様子を説明的に示しているが、栽培棚７２にたくさんの菌床を配置して茸を栽培する場合でも、本実施形態のように、通気ダクト６０を利用して栽培室７０に外気を導入する構成とすることで、栽培室７０の隅まで均等に外気を導入することができ、栽培室７０の換気を効率的に行うことが可能となり、これによって良品のきのこを栽培することが可能となる。
なお、本実施形態で使用している吸気ファン６５は、風量１３２０（立法メートル／時）のものである。
【００３８】
本実施形態の栽培システムでは、栽培室７０の換気と栽培室７０内で霧を発生させる操作を併用して行っている。栽培室７０の換気と霧発生は適宜制御すればよいが、たとえば、換気操作としては、１５分間の換気と１０分間の換気停止とを繰り返し行うようにし、霧発生については、３０秒間の霧発生と６分間の停止を繰り返し行うように制御すればよい。
【００３９】
通気ダクト６０として吹き流し状に形成したプラスチック製の筒体を利用する方法は、栽培室７０に簡単にかつ低コストで通気ダクト６０を設置することができ、栽培室７０に均一に外気を導入する方法として、きわめて簡易、かつ効果的に使用することができるという利点がある。この方法によれば、栽培室７０の大きさや栽培室７０に収納する菌床の数に応じて、通気ダクト６０の設置数や、設置間隔を簡単に調節することが可能であり、茸の人工栽培用として好適に利用することができる。
通気ダクト６０を使用して栽培室を換気する方法はタモギ茸の菌床栽培に限らず、えのき茸、ぶなしめじ等の他の茸の空調栽培においても好適に使用することが可能である。
【図面の簡単な説明】
【００４０】
【図１】菌床栽培で使用する栽培袋の正面図である。
【図２】栽培袋に培地材を詰めた状態を示す斜視図である。
【図３】トレイに培地入り栽培袋を収納した状態を示す斜視図である。
【図４】培地に種菌を接種した状態を示す説明図である。
【図５】培地に種菌を接種して栽培袋を密封した状態を示す斜視図である。
【図６】種菌を培養している状態を示す説明図である。
【図７】種菌を培養している状態を示す説明図である。
【図８】栽培袋を切り離した状態を示す説明図である。
【図９】芽出し・生育室へ搬入する状態の菌床（培地）を示す説明図である。
【図１０】タモギ茸が小分けにした株状に生長した状態を示す説明図である。
【図１１】培地から子実体が生長した状態を示す説明図である。
【図１２】タモギ茸が大きな株状に生長した状態を示す説明図である。
【図１３】栽培室における通気ダクトの配置例を示す説明図である。
【符号の説明】
【００４１】
１０  栽培袋
１０ａ  培地入り栽培袋
１２  袋本体
１４  開口孔
１６  フィルター
２０  培地材
２０ａ  培地
２２ａ、２２ｂ、２２ｃ  植菌孔
３０  トレイ
４０  種菌
５０ｂ、５０ｂ、５０ｃ、５０ｄ  子実体
６０  通気ダクト
６２  横孔
６４  下孔
６５  吸気ファン
７０  栽培室
【図１】
2007014299.tif 000003
【図２】
2007014299.tif 000004
【図３】
2007014299.tif 000005
【図４】
2007014299.tif 000006
【図５】
2007014299.tif 000007
【図６】
2007014299.tif 000008
【図７】
2007014299.tif 000009
【図８】
2007014299.tif 000010
【図９】
2007014299.tif 000011
【図１０】
2007014299.tif 000012
【図１１】
2007014299.tif 000013
【図１２】
2007014299.tif 000014
【図１３】
2007014299.tif 000015
【手続補正書】
【提出日】平成18年4月26日(2006.4.26)
【手続補正２】
【補正対象書類名】特許請求の範囲
【補正対象項目名】全文
【補正方法】変更
【補正の内容】
【特許請求の範囲】
【請求項１】
培地材を栽培袋に詰める袋詰め工程と、栽培袋に詰めた培地材を加熱殺菌する殺菌工程と、培地に種菌を接種する種菌接種工程と、種菌を接種した栽培袋を密封して種菌を培養する培養工程と、培地から子実体を発生させ、株状に生育させる芽出し・生育工程とを備えるタモギ茸の菌床栽培方法であって、
前記芽出し・生育工程においては、一方の壁面に吸気ファンが設置され、各々の吸気ファンに連通する配置に栽培室の全長にわたって通気ダクトが配されるとともに、該通気ダクトには、ダクトから側方に向けてエアを送出する複数の横孔と、ダクトから下方に向けてエアを送出する複数の下孔とが設けられた栽培室を使用し、
前記培養工程後、栽培袋の培地から上側の部分を切り離し、培地の下側を栽培袋で覆った状態で芽出し・生育工程のための前記栽培室へ菌床を搬入した後、
前記吸気ファンにより前記通気ダクトに外気を導入し、該通気ダクトから栽培室内にエアを送出して換気を行いながら芽出し・生育することを特徴とするタモギ茸の菌床栽培方法。
【請求項２】
前記通気ダクトは、プラスチックからなる筒状の吹き流し状に形成されていることを特徴とする請求項１記載のタモギ茸の菌床栽培方法。
【請求項３】
前記芽出し・生育工程において、菌床から発生する子実体のうちから収穫用に生長させる複数の子実体を選択し、これらの子実体を生長させて収穫する生育・収穫工程を複数回繰り返すことを特徴とする請求項１または２記載のタモギ茸の菌床栽培方法。
【請求項４】
前記芽出し・生育工程において、菌床から発生する子実体のうちから収穫用に生長させる子実体を一つのみ選択し、この選択した子実体のみを菌床全体まで菌回りするまで生長させて収穫することを特徴とする請求項１または２記載のタモギ茸の菌床栽培方法。
【請求項５】
前記芽出し・生育工程において、収穫用に生長させる子実体として、前記培地の中央部に設けられた植菌孔から生長する子実体を選択し、この子実体を生長させて収穫することを特徴とする請求項４記載のタモギ茸の菌床栽培方法。
【手続補正３】
【補正対象書類名】明細書
【補正対象項目名】０００１
【補正方法】変更
【補正の内容】
【０００１】
本発明はタモギ茸の菌床栽培方法に関する。
【手続補正４】
【補正対象書類名】明細書
【補正対象項目名】０００６
【補正方法】変更
【補正の内容】
【０００６】
本発明は、これらの課題を解決すべくなされたものであり、菌床栽培によるタモギ茸の栽培を的確に行うことを可能とし、良品のタモギ茸を効率的に生産することを可能にするタモギ茸の菌床栽培方法を提供することを目的とする。
【手続補正５】
【補正対象書類名】明細書
【補正対象項目名】０００７
【補正方法】変更
【補正の内容】
【０００７】
本発明は、上記目的を達成するため次の構成を備える。
すなわち、培地材を栽培袋に詰める袋詰め工程と、栽培袋に詰めた培地材を加熱殺菌する殺菌工程と、培地に種菌を接種する種菌接種工程と、種菌を接種した栽培袋を密封して種菌を培養する培養工程と、培地から子実体を発生させ、株状に生育させる芽出し・生育工程とを備えるタモギ茸の菌床栽培方法であって、前記芽出し・生育工程においては、一方の壁面に吸気ファンが設置され、各々の吸気ファンに連通する配置に栽培室の全長にわたって通気ダクトが配されるとともに、該通気ダクトには、ダクトから側方に向けてエアを送出する複数の横孔と、ダクトから下方に向けてエアを送出する複数の下孔とが設けられた栽培室を使用し、前記培養工程後、栽培袋の培地から上側の部分を切り離し、培地の下側を栽培袋で覆った状態で芽出し・生育工程のための前記栽培室へ菌床を搬入した後、前記吸気ファンにより前記通気ダクトに外気を導入し、該通気ダクトから栽培室内にエアを送出して換気を行いながら芽出し・生育することを特徴とする。
【手続補正６】
【補正対象書類名】明細書
【補正対象項目名】０００８
【補正方法】変更
【補正の内容】
【０００８】
また、前記通気ダクトは、プラスチックからなる筒状の吹き流し状に形成されていることにより、栽培室内への設置等が容易にできる。
【手続補正７】
【補正対象書類名】明細書
【補正対象項目名】０００９
【補正方法】変更
【補正の内容】
【０００９】
また、前記芽出し・生育工程において、菌床から発生する子実体のうちから収穫用に生長させる複数の子実体を選択し、これらの子実体を生長させて収穫する生育・収穫工程を複数回繰り返すことを特徴とする。
この栽培方法では、菌床から複数回にわたってタモギ茸を収穫することが特徴であるが、このように、一つの菌床からタモギ茸を複数回収穫することができるのは、タモギ茸の場合は、菌床が完全に菌回りする前に子実体を生長させることができるためである。したがって、タモギ茸がある程度の株にまで成長したところで収穫することにより、菌床での菌回りの進み具合に合わせて一つの菌床から、複数回タモギ茸を収穫することができる。一つの菌床から収穫する回数は生長させる株の大きさにもよるが３〜５回程度可能である。
【手続補正８】
【補正対象書類名】明細書
【補正対象項目名】００１０
【補正方法】変更
【補正の内容】
【００１０】
また、前記芽出し・生育工程において、菌床から発生する子実体のうちから収穫用に生長させる子実体を一つのみ選択し、この選択した子実体のみを菌床全体まで菌回りするまで生長させて収穫することを特徴とする。
この栽培方法は、一つの菌床で一つの子実体のみを生長させて収穫する方法である。この場合は、菌床全体として一つの子実体を生長させるから、きわめて大きな、見栄えの良い株状にタモギ茸を生長させることができる。
この場合には、前記芽出し・生育工程において、収穫用に生長させる子実体として、前記培地の中央部に設けられた植菌孔から生長する子実体を選択し、この子実体を生長させて収穫するようにすることが効果的である。
【手続補正９】
【補正対象書類名】明細書
【補正対象項目名】００１１
【補正方法】変更
【補正の内容】
【００１１】
本発明に係るタモギ茸の菌床栽培方法によれば、菌床栽培により、確実にかつ効率的にタモギ茸を生産することができ、良品のタモギ茸を生産する方法として好適に利用することが可能になる。
【手続補正書】
【提出日】平成18年8月11日(2006.8.11)
【手続補正１】
【補正対象書類名】特許請求の範囲
【補正対象項目名】全文
【補正方法】変更
【補正の内容】
【特許請求の範囲】
【請求項１】
培地材を栽培袋に詰める袋詰め工程と、栽培袋に詰めた培地材を加熱殺菌する殺菌工程と、培地に種菌を接種する種菌接種工程と、種菌を接種した栽培袋を密封して種菌を培養する培養工程と、培地から子実体を発生させ、株状に生育させる芽出し・生育工程とを備えるタモギ茸の菌床栽培方法であって、
前記殺菌工程においては、前記栽培袋に培地材を詰めて形成した培地入り栽培袋を、トレイの中央部に空間が形成されるように整列してトレイに収納し、トレイごと培地入り栽培袋を殺菌釜内に収納して培地を加熱殺菌し、
前記芽出し・生育工程においては、一方の壁面に複数の吸気ファンが設置され、各々の吸気ファンに連通する配置に栽培室の全長にわたり、栽培室の天井に沿って、プラスチックフィルムからなる筒状の吹き流し状に形成された通気ダクトが平行に複数基設置され、該通気ダクトには、ダクトから側方に向けてエアを送出する複数の横孔と、ダクトから下方に向けてエアを送出する複数の下孔とがダクトの長手方向に所定間隔をあけて開口して設けられた栽培室を使用し、
前記培養工程後、栽培袋の培地から上側の部分を切り離し、培地の下側を栽培袋で覆った状態で芽出し・生育工程のための前記栽培室へ菌床を搬入した後、
前記吸気ファンにより前記通気ダクトに外気を導入し、該通気ダクトから栽培室内にエアを送出し、二酸化炭素濃度を３００〜５００ppm以下に抑えるよう換気を行いながら芽出し・生育することを特徴とするタモギ茸の菌床栽培方法。
【請求項２】
前記芽出し・生育工程において、菌床から発生する子実体のうちから収穫用に生長させる複数の子実体を選択し、これらの子実体を生長させて収穫する生育・収穫工程を複数回繰り返すことを特徴とする請求項１記載のタモギ茸の菌床栽培方法。
【請求項３】
前記芽出し・生育工程において、菌床から発生する子実体のうちから収穫用に生長させる子実体を一つのみ選択し、この選択した子実体のみを菌床全体まで菌回りするまで生長させて収穫することを特徴とする請求項１記載のタモギ茸の菌床栽培方法。
【請求項４】
前記芽出し・生育工程において、収穫用に生長させる子実体として、前記培地の中央部に設けられた植菌孔から生長する子実体を選択し、この子実体を生長させて収穫することを特徴とする請求項３記載のタモギ茸の菌床栽培方法。
【手続補正２】
【補正対象書類名】明細書
【補正対象項目名】０００７
【補正方法】変更
【補正の内容】
【０００７】
本発明は、上記目的を達成するため次の構成を備える。
すなわち、培地材を栽培袋に詰める袋詰め工程と、栽培袋に詰めた培地材を加熱殺菌する殺菌工程と、培地に種菌を接種する種菌接種工程と、種菌を接種した栽培袋を密封して種菌を培養する培養工程と、培地から子実体を発生させ、株状に生育させる芽出し・生育工程とを備えるタモギ茸の菌床栽培方法であって、前記殺菌工程においては、前記栽培袋に培地材を詰めて形成した培地入り栽培袋を、トレイの中央部に空間が形成されるように整列してトレイに収納し、トレイごと培地入り栽培袋を殺菌釜内に収納して培地を加熱殺菌し、前記芽出し・生育工程においては、一方の壁面に複数の吸気ファンが設置され、各々の吸気ファンに連通する配置に栽培室の全長にわたり、栽培室の天井に沿って、プラスチックフィルムからなる筒状の吹き流し状に形成された通気ダクトが平行に複数基設置され、該通気ダクトには、ダクトから側方に向けてエアを送出する複数の横孔と、ダクトから下方に向けてエアを送出する複数の下孔とがダクトの長手方向に所定間隔をあけて開口して設けられた栽培室を使用し、前記培養工程後、栽培袋の培地から上側の部分を切り離し、培地の下側を栽培袋で覆った状態で芽出し・生育工程のための前記栽培室へ菌床を搬入した後、前記吸気ファンにより前記通気ダクトに外気を導入し、該通気ダクトから栽培室内にエアを送出し、二酸化炭素濃度を３００〜５００ppm以下に抑えるよう換気を行いながら芽出し・生育することを特徴とする。
【手続補正３】
【補正対象書類名】明細書
【補正対象項目名】０００８
【補正方法】変更
【補正の内容】
【０００８】
また、前記芽出し・生育工程において、菌床から発生する子実体のうちから収穫用に生長させる複数の子実体を選択し、これらの子実体を生長させて収穫する生育・収穫工程を複数回繰り返すことを特徴とする。この栽培方法では、菌床から複数回にわたってタモギ茸を収穫することが特徴であるが、このように、一つの菌床からタモギ茸を複数回収穫することができるのは、タモギ茸の場合は、菌床が完全に菌回りする前に子実体を生長させることができるためである。したがって、タモギ茸がある程度の株にまで成長したところで収穫することにより、菌床での菌回りの進み具合に合わせて一つの菌床から、複数回タモギ茸を収穫することができる。一つの菌床から収穫する回数は生長させる株の大きさにもよるが３〜５回程度可能である。
【手続補正４】
【補正対象書類名】明細書
【補正対象項目名】０００９
【補正方法】変更
【補正の内容】
【０００９】
また、前記芽出し・生育工程において、菌床から発生する子実体のうちから収穫用に生長させる子実体を一つのみ選択し、この選択した子実体のみを菌床全体まで菌回りするまで生長させて収穫することを特徴とする。この栽培方法は、一つの菌床で一つの子実体のみを生長させて収穫する方法である。この場合は、菌床全体として一つの子実体を生長させるから、きわめて大きな、見栄えの良い株状にタモギ茸を生長させることができる。
【手続補正５】
【補正対象書類名】明細書
【補正対象項目名】００１０
【補正方法】変更
【補正の内容】
【００１０】
また、前記芽出し・生育工程において、収穫用に生長させる子実体として、前記培地の中央部に設けられた植菌孔から生長する子実体を選択し、この子実体を生長させて収穫するようにすることを特徴とする。